(57)【要約】【課題】注出ノズルから内容物を注出する際に、注出ノズルを構成する表裏のフィルムが互いに密着して閉塞することを防止することができ、また、こうして表裏のフィルムが密着した注出ノズルが折れ曲がることを防止することができるパウチを提供すること。【解決手段】表裏のフィルム１，２を互いに重ね合わせて周縁をシールすると共に、その周縁シール線ａの一部に注出ノズルを配置して成り、この注出ノズルが二本のシール線ａ１，ａ２とその間の注出流路で構成されているパウチにおいて、前記注出ノズルをパウチの上辺に配置すると共に、前記表裏のフィルムを外側に屈曲させ互いにシールした摘み折り状熱融着部ｃ１、ｃ２を形成する。そして、この摘み折り状熱融着部ｃ１、ｃ２を前記注出流路に対面する位置に配置すると共に、注出ノズルの先端からパウチの下辺に至るまで直線状に延在させる。【選択図】図１
2018002183.tif 000002
【特許請求の範囲】
【請求項１】
表裏のフィルムを互いに重ね合わせて周縁をシールすると共に、その周縁シール線の一部に注出ノズルを配置して成り、この注出ノズルが二本のシール線とその間の注出流路で構成されているパウチにおいて、
前記注出ノズルがパウチの上辺に配置されており、
前記表裏のフィルムのうち、少なくとも一方が外側に屈曲して、この屈曲部位が互いにシールされた摘み折り状の熱融着部が形成されており、
この摘み折り状熱融着部が前記注出流路に対面する位置に配置されていると共に、注出ノズルの先端からパウチの下辺に至るまで直線状に延在していることを特徴とする注出用パウチ。
【請求項２】
前記表裏のフィルムの両方に前記摘み折り状熱融着部が形成されていることを特徴とする請求項１に記載の注出用パウチ。
【請求項３】
前記表裏のフィルムの摘み折り状熱融着部が前記注出流路を挟んで互いに対向する位置に配置されていることを特徴とする請求項２に記載の注出用パウチ。
【請求項４】
前記摘み折り状熱融着部が倒されてパウチの外面に重ねられており、かつ、表側フィルムの摘み折り状熱融着部と裏側フィルムの摘み折り状熱融着部とが互いに反対側に倒されていることを特徴とする請求項２又は３に記載の注出用パウチ。
【請求項５】
前記注出ノズルが内容物収容部からパウチ外側に向けて突出して設けられていることを特徴とする請求項１〜４のいずれかに記載の注出用パウチ。
【発明の詳細な説明】
【技術分野】
【０００１】
本発明はノズル状注出口を有するパウチに関する。このパウチは、例えば、詰替え用のパウチとして使用できる。
【背景技術】
【０００２】
シャンプー、リンス等のトイレタリー用品は、一般に、プラスチックボトル等の成形容器に収容して販売されている。これらプラスチックボトル等の成形容器は比較的高価であることから、内容物を消費して空になった容器に内容物を補充するため、内容物補充用の詰替え用パウチが市販されている。この詰替え用パウチは、袋の内部に補充用内容物を収容したもので、前述の成形容器に比較して安価である。
【０００３】
そして、この詰替え用パウチから前記成形容器に内容物を補充するため、この詰替え用パウチには細長い注出ノズルが設けられていることが通常である。この細長い注出ノズルは表裏のフィルムをシールして形成した二本のシール線とその間の注出流路で構成されていることが多い。そして、この細長い注出ノズルを前記成形容器の開口部に当接し、あるいは成形容器の開口部の中に差し込んで、詰替えパウチから直接補充するのである。
【０００４】
しかしながら、このように細長い注出ノズルを表裏のフィルムをシールして形成した二本のシール線で構成すると、その補充作業の際に、細長い注出ノズルを構成する表裏のフィルムが互いに密着して、注出流路を閉塞してしまうことがあった。そして、このように表裏のフィルムが互いに密着すると、注出流路に直交する方向に注出ノズルが折れ曲がり、その先端から成形容器の外部に内容物が滴下したり、こぼれることもあった。
【０００５】
このような問題に対処して、注出ノズルの閉塞を防ぎ、また、注出ノズルが折れ曲がることを防ぐため、従来からさまざまな工夫が重ねられてきた。
【０００６】
例えば、特許文献１〜３は、注出ノズルの内部をエンボスして注出流路に沿った線状のエンボス部を設けたものである。この線状エンボス部によって注出ノズルが補強されるため、注出ノズルの閉塞を防ぎ、また、注出ノズルが折れ曲がることを防ぐことができる。しかしながら、注出ノズルの先端は表裏のフィルムをシールして閉塞しているため、線状エンボス部を注出ノズルの先端まで設けることはできない。また、この線状エンボス部はフレキシブルなフィルムをエンボスして形成したに過ぎないから、その強度にも限界がある。このような理由から、この方法によっても、注出ノズルの閉塞や折れ曲がることを十分に防止することはできなかった。
【先行技術文献】
【特許文献】
【０００７】
【特許文献１】特開平１１−２４５９５６号公報
【特許文献２】特開平１１−３２１８８６号公報
【特許文献３】特開２０００−６９９１号公報
【発明の概要】
【発明が解決しようとする課題】
【０００８】
本発明は、以上のような技術的背景に基づいてなされたもので、注出ノズルから内容物を注出する際に、注出ノズルを構成する表裏のフィルムが互いに密着して閉塞することを防止することができ、また、こうして表裏のフィルムが密着した注出ノズルが折れ曲がることを防止することができるパウチを提供することを目的とする。
【課題を解決するための手段】
【０００９】
すなわち、請求項１に記載の発明は、表裏のフィルムを互いに重ね合わせて周縁をシールすると共に、その周縁シール線の一部に注出ノズルを配置して成り、この注出ノズルが二本のシール線とその間の注出流路で構成されているパウチにおいて、
前記注出ノズルがパウチの上辺に配置されており、
前記表裏のフィルムのうち、少なくとも一方が外側に屈曲して、この屈曲部位が互いにシールされた摘み折り状の熱融着部が形成されており、
この摘み折り状熱融着部が前記注出流路に対面する位置に配置されていると共に、注出ノズルの先端からパウチの下辺に至るまで直線状に延在していることを特徴とする注出用パウチである。
【００１０】
次に、請求項２に記載の発明は、前記表裏のフィルムの両方に前記摘み折り状熱融着部が形成されていることを特徴とする請求項１に記載の注出用パウチである。
【００１１】
次に、請求項３に記載の発明は、前記表裏のフィルムの摘み折り状熱融着部が前記注出流路を挟んで互いに対向する位置に配置されていることを特徴とする請求項２に記載の注出用パウチである。
【００１２】
次に、請求項４に記載の発明は、前記摘み折り状熱融着部が倒されてパウチの外面に重ねられており、かつ、表側フィルムの摘み折り状熱融着部と裏側フィルムの摘み折り状熱融着部とが互いに反対側に倒されていることを特徴とする請求項２又は３に記載の注出用パウチである。
【００１３】
次に、請求項５に記載の発明は、前記注出ノズルが内容物収容部からパウチ外側に向けて突出して設けられていることを特徴とする請求項１〜４のいずれかに記載の注出用パウチである。
【発明の効果】
【００１４】
本発明のパウチは前記摘み折り状熱融着部が注出ノズルの注出流路に対面する位置に配置されているから、この注出ノズルの先端を切除して開口したとき、この摘み折り状熱融着部が表裏のフィルムの密着を防止する。しかも、この摘み折り状熱融着部は注出ノズルの先端からパウチの下辺に至るまで直線状に延在しているから、注出ノズルの全長に渡って表裏のフィルムの密着を防止するのである。
【００１５】
しかも、この摘み折り状熱融着部は注出ノズルを補強しているから、注出ノズルが折れ曲がることも防ぐことができる。
【００１６】
このため、このパウチによれば、注出ノズルが閉塞することなく、また、折れ曲がることもなく、速やかに内容物を注出することができる。
【図面の簡単な説明】
【００１７】
【図１】図１は本発明のパウチの具体例に係り、図１（ａ）はその正面図、図１（ｂ）はその要部を拡大して示す説明用斜視図である。
【図２】図２は本発明のパウチの別の具体例の要部を拡大して示す説明用斜視図である。
【図３】図３は本発明のパウチの具体例の使用状態を示す説明用斜視図である。
【図４】図４（ａ）及び（ｂ）は、それぞれ、本発明のパウチの別の具体例の正面図である。
【発明を実施するための形態】
【００１８】
以下、図面を参照して本発明の具体例を説明する。図１は本発明のパウチの具体例に係り、図１（ａ）はその正面図、図１（ｂ）はその要部を拡大して示す説明用斜視図である。
【００１９】
これらの図から分かるように、このパウチ１００は、表側フィルム１と裏側フィルム２とを互いに重ね合わせ、周縁の周縁シール線ａでヒートシールして、内容物収容部Ａを密封したものである。そして、その上辺には、内容物収容部Ａからパウチ１００の外側に向けて突出するように、注出ノズルが設けられている。この注出ノズルは細長い形状を有しており、二本のシール線ａ１，ａ２とその間の注出流路ｂとで構成されている。なお、図示のように、注出ノズルの先端はシール線（先端シール線）ａ３で密封されており、図示ｘ−ｘの開封予定線で切断して先端シール線ａ３を除去することにより、注出流路ｂを開くことができる。
【００２０】
ところで、表側フィルム１は、パウチ１００の上辺から下辺に至るまでの上下方向全長に渡って、谷折線ｄ１で折り曲げられ、次に山折線ｄ２で折り曲げられ、更に谷折線ｄ３で折り曲げられて、パウチの外側に突出する領域が設けられている。そして、この領域においては、山折線ｄ２を介して互いに重ねられた表側フィルム１の内面同士がシールされて、摘み折り状の熱融着部ｃ１を構成している。図１（ａ）から分かるように、この熱融着部ｃ１は、注出流路ｂに対面する位置に位置している。この熱融着部ｃ１の幅は１．０〜５．０ｍｍでよい。
【００２１】
同様に、裏側フィルム２にも摘み折り状の熱融着部ｃ２が形成されている。この摘み折り状熱融着部ｃ２も、注出流路ｂに対面する位置に設けられており、パウチの上辺、すなわち、注出ノズルの先端からパウチの下辺に至るまで直線状に延在している。このため、摘み折り状熱融着部ｃ１と摘み折り状熱融着部ｃ２とは、注出流路を挟んで互いに対向する位置に配置されている。なお、摘み折り状熱融着部ｃ２も、その幅は１．０〜５．０ｍｍでよい。
【００２２】
なお、この例では、摘み折り状熱融着部ｃ１と摘み折り状熱融着部ｃ２とは、いずれも、内容物収容部Ａを構成する部位の表側フィルム１及び裏側フィルム２に対して略垂直となるように立ち上がっているが、図２に示すように、この熱融着部ｃ１及び熱融着部ｃ２を倒して、パウチの外面に重ねてもよい。この際、熱融着部ｃ１と熱融着部ｃ２とは、互いに反対側に倒すことが望ましい。図２は、このように摘み折り状熱融着部ｃ１と摘み折り状熱融着部ｃ２とを互いに反対側に倒した例で、熱融着部ｃ１は図示左側に向けて倒されており、一方、熱融着部ｃ２は図示右側に向けて倒されている。このように摘み折り状熱融着部ｃ１，ｃ２が倒されてパウチ１００の外面に重ねられている場合には、これら摘み折り状熱融着部ｃ１，ｃ２がパウチ１００に対して立ち上がっている場合に比較して、注出ノズルを容易に開くことができる。
【００２３】
このパウチ１００は次のように使用することができる。すなわち、開封予定線ｘ−ｘで切断して、先端シール線ａ３を除去することにより、注出流路ｂを開く。次に、図示しない成形容器の開口部に注出ノズルを差込み、その注出流路ｂを通して内容物をパウチから成形容器に補充する。このとき、注出流路ｂを流れる内容物の圧力によって、注出流路ｂは図３に示すように略ひし形に開き、速やかにパウチから成形容器に流れ込む。なお、この注出ノズルは摘み折り状熱融着部ｃ１及び摘み折り状熱融着部ｃ２によって補強されており、しかも、これら摘み折り状熱融着部ｃ１，ｃ２は注出ノズルの先端からパウチの下辺に至るまで直線状に延在してパウチを補強しているため、折れ曲がることなく、安定して注出流路ｂを略ひし形に開くのである。
【００２４】
なお、図２に示すように摘み折り状熱融着部ｃ１，ｃ２が倒されてパウチ１００の外面に重ねられている場合には、まず開封予定線ｘ−ｘで切断して注出流路ｂを開いた後、前記摘み折り状熱融着部ｃ１，ｃ２がパウチ１００の外面に略垂直となるようにこれら熱融着部ｃ１，ｃ２を立ち上げ、次に成形容器の開口部に注出ノズルを差込んで内容物を補充することが望ましい。摘み折り状熱融着部ｃ１，ｃ２をパウチ１００の外面に立ち上げることにより、注出ノズルを確実に補強することができるからである。
【００２５】
次に、図４（ａ）は本発明のパウチの別の具体例を示すもので、注出ノズルをパウチの上辺中央に配置したものである。もちろん、この例でも、注出ノズルは二本のシール線ａ１，ａ２とその間の注出流路ｂで構成されており、摘み折り状熱融着部ｃ１，ｃ２が前記注出流路ｂに対面する位置に配置されている。
【００２６】
また、図４（ｂ）は本発明のパウチのさらに別の具体例を示しており、この例では、パウチの上辺に凹部ｅを設けて、この凹部ｅと側辺との間に注出ノズルを配置している。この例では、注出ノズルを構成する二本のシール線のうち、一方のシール線ａ１は、この凹部ｅの縁に設けられている。また、他方のシール線ａ２は、周縁シール線ａの一部である。そして、これら二本のシール線ａ１，ａ２に挟まれて注出流路ｂが形成されており、この注出流路ｂに対面する位置に摘み折り状熱融着部ｃ１，ｃ２が配置されている。
【００２７】
以上、パウチ１００として四方シール袋を使用する例を説明したが、これに限られず、パウチ１００は、三方シール袋、スタンディングパウチ等、任意の形態の袋であってよい。
【００２８】
これらパウチ１００を構成する表裏のフィルム１，２としては、プラスチックフィルム又はプラスチックフィルムを含む積層体を好適に使用することができる。例えば、ポリエステルフィルム、ポリアミドフィルム、ポリエチレンフィルム、ポリプロピレンフィルム、あるいはこれらの積層体である。また、その層構成中に、金属箔や金属蒸着層、あるいは、酸化アルミニウム蒸着層等の無機蒸着層を有するものであってもよい。例えば、アルミニウム蒸着層を設けた延伸ポリアミドフィルムの両面に直鎖状低密度ポリエチレン層を積層した積層フィルムである。また、無機蒸着層を設けた延伸ポリエステルフィルムの両面に直鎖状低密度ポリエチレン層を積層した積層フィルムを表裏のフィルム１，２として使用することもできる。
【００２９】
また、これらパウチ１００に収容する内容物も任意であるが、注出ノズルから注出することのできる液体状の内容物が好適である。中でも、成形容器に補充する補充用内容物を好ましく使用できる。例えば、シャンプー、リンス等のトイレタリー用品等である。また、液体の食品や調味料等であってもよい。
【符号の説明】
【００３０】
１００：注出用パウチ
１：表側フィルム１    ２：裏側フィルム
ａ：周縁シール線    ａ１：注出ノズルのシール線    ａ２：注出ノズルのシール線
ｂ：注出流路
ｃ１：摘み折り状熱融着部    ｃ２：摘み折り状熱融着部
ｄ１：谷折線    ｄ２：山折線    ｅ：凹部
Ａ：内容物収容部
【図１】
2018002183.tif 000003
【図２】
2018002183.tif 000004
【図３】
2018002183.tif 000005
【図４】
2018002183.tif 000006